(57)【特許請求の範囲】
【請求項１】
前面を開口させた箱状の本体ケースと，
上下に２分割されて少なくとも前記本体ケースの開口面を覆う上カバー及び下カバーと，
を備え，前記本体ケースの開口面とは反対側の裏面を屋外の支柱や壁面に取付けて使用される電子機器収納用筐体であって，
前記上カバーは，本体ケースに固着され，
前記下カバーは，当該下カバーの左右の側壁の上端縁近傍の内面側に突設されたピンを，前記上カバーの左右の側壁の下端部から下方へ突設された一対のヒンジ部に形成された貫通孔に挿通することで，前記上カバーに枢着されて，前記開口を開閉可能とされ，
前記下カバーの上端には，当該下カバーの閉状態で前記上カバーの裏面に重なる重合部が延設され，
前記重合部には，前記下カバーの上端と平行で，しかも前記下カバーが閉状態であるときに前記上カバーの裏面に密着する第１の突条及び第２の突条が，前記下カバーの上端側から順に形成され，
前記上カバーの下端には，当該上カバーの下端と平行で，しかも前記下カバーが閉状態であるときに前記重合部の前面側に密着する第３の突条及び第４の突条が，当該上カバーの下端側から順に形成されると共に，
前記各突条は，前記下カバーの閉状態において，前記第１の突条と第２の突条との間に前記第４の突条が配設され，第３の突条と第４の突条との間に前記第１の突条が配設されて，前記重合部側の突条と前記上カバー側の突条とが相互に重ならないように形成され，
前記第３の突条は，前記第１，第２，第４の突条より高く，前記重合部に形成された凹部と嵌合するように形成され，
前記重合部に形成された第１の突条と第２の突条との間隔は，前記上カバーに形成された第３の突条が嵌合する前記凹部の幅より広く，
前記第４の突条は，前記下カバーが閉状態であるとき，前記第１の突条に近接するように形成されていることを特徴とする電子機器収納用筐体。
【請求項２】
前記下カバーが閉状態であるとき，前記下カバーと前記上カバーの表面が略同じ高さになるように，前記重合部は前記下カバーの表面より一段低く設けたことを特徴とする請求項１に記載の電子機器収納用筐体。
【発明の詳細な説明】
【技術分野】
【０００１】
本発明は，屋外の支柱や壁面に取付けられる信号処理装置等の電子機器収納用の筐体に関する。
【背景技術】
【０００２】
従来の電子機器収納用筐体（以下，筐体と記載する。）は，前面を開口させた箱状の本体ケースと上下に２分割されて少なくとも前記本体ケースの開口面を覆うカバーとからなり，前記上カバーを本体ケースに固着すると共に，前記下カバーを，前記上カバー側の端部を軸として本体ケースに蝶着し，前記開口を開閉可能とした筐体であって，
前記下カバーの上端縁に，下カバーの閉状態で上カバーの裏面に重なる重合部を延設し，その重合部の全長に亘って，前記閉状態で上カバーの裏面に密着し，前記上端縁と平行な少なくとも２本の突条を並設した構成となっており，パッキン材等を用いなくとも簡単な構成でもって，下カバーと上カバーとの間の密閉は保たれ，雨水の浸入を防止できる構造であった。（例えば，特許文献１参照）
【０００３】
【特許文献１】特開平７−３３６０６１号公報
【発明の開示】
【発明が解決しようとする課題】
【０００４】
しかし，従来の筐体においては，下カバーの閉状態において，前記下カバーの上端縁に延設した重合部と，この重合部の全長に亘って備えさせた少なくとも２本の突条と，前記上カバーの裏面との密着で持って雨水の進入を防止していたのであるが，金型の成形条件や，公差，変形等の条件によって密着されない場合があった。
また，更に多様な電子機器を収納するために，更に大きな筐体を作成した場合，今以上に上記突条と上カバーの裏面との密着の精度が良くないと防水効果が得られないといった問題があった。
本発明は，こうした問題点を解決するためになされたものであり，その目的は，本体ケースの開口を覆う下カバーの枢着が容易にでき，しかも防水効果の高い電子機器収納用の筐体を提供することにある。
【課題を解決するための手段】
【０００５】
かかる目的を達成するためになされた請求項１に記載の発明は，
前面を開口させた箱状の本体ケースと，
上下に２分割されて少なくとも前記本体ケースの開口面を覆う上カバー及び下カバーと，
を備え，前記本体ケースの開口面とは反対側の裏面を屋外の支柱や壁面に取付けて使用される電子機器収納用筐体であって，
前記上カバーは，本体ケースに固着され，
前記下カバーは，当該下カバーの左右の側壁の上端縁近傍の内面側に突設されたピンを，前記上カバーの左右の側壁の下端部から下方へ突設された一対のヒンジ部に形成された貫通孔に挿通することで，前記上カバーに枢着されて，前記開口を開閉可能とされ，
前記下カバーの上端には，当該下カバーの閉状態で前記上カバーの裏面に重なる重合部が延設され，
前記重合部には，前記下カバーの上端と平行で，しかも前記下カバーが閉状態であるときに前記上カバーの裏面に密着する第１の突条及び第２の突条が，前記下カバーの上端側から順に形成され，
前記上カバーの下端には，当該上カバーの下端と平行で，しかも前記下カバーが閉状態であるときに前記重合部の前面側に密着する第３の突条及び第４の突条が，当該上カバーの下端側から順に形成されると共に，
前記各突条は，前記下カバーの閉状態において，前記第１の突条と第２の突条との間に前記第４の突条が配設され，第３の突条と第４の突条との間に前記第１の突条が配設されて，前記重合部側の突条と前記上カバー側の突条とが相互に重ならないように形成され，
前記第３の突条は，前記第１，第２，第４の突条より高く，前記重合部に形成された凹部と嵌合するように形成され，
前記重合部に形成された第１の突条と第２の突条との間隔は，前記上カバーに形成された第３の突条が嵌合する前記凹部の幅より広く，
前記第４の突条は，前記下カバーが閉状態であるとき，前記第１の突条に近接するように形成されていることを特徴とする。
【０００８】
また，請求項２に記載の発明は，請求項１に記載の電子機器収納用筐体において，前記下カバーが閉状態であるとき，前記下カバーと前記上カバーの表面が略同じ高さになるように，前記重合部は前記下カバーの表面より一段低く設けたことを特徴とする。
【発明の効果】
【００１０】
請求項１に記載の電子機器収納用筐体においては，下カバーの上端に，下カバーの閉状態で上カバーの裏面に重なる重合部が延設されており，その重合部には，下カバーの上端と平行で，しかも下カバーが閉状態であるときに上カバーの裏面に密着する第１の突条及び第２の突条が，下カバーの上端側から順に形成されている。
また，上カバーの下端には，当該上カバーの下端と平行で，しかも下カバーが閉状態であるときに重合部の前面側に密着する第３の突条及び第４の突条が，当該上カバーの下端側から順に形成されている。
そして，下カバーが閉状態であるときには，第１の突条と第２の突条との間に第４の突条が配設され，第３の突条と第４の突条との間に第１の突条が配設される。
このため，本発明によれば，下カバーと上カバ−との間が，第１〜第４の突条によって二重防水構造となり，パッキン材等を用いることなく，簡単な構成で密閉を保ち，雨水の浸入を防止できる，防水機能の優れた電子機器収納用筐体を低コストで提供できる。
【００１１】
また，請求項１に記載の電子機器収納用筐体において，第３の突条は，第１，第２，第４の突条より高く，重合部に形成された凹部と嵌合するように形成されているため，雨水が浸入しようとする最初の突条が，下カバーの重合部の凹部に挿入されるように嵌合されることになり，防水機能の信頼性をより高めることができる。
【００１２】
また更に，請求項１に記載の電子機器収納用筐体によれば，重合部に形成された第１の突条と第２の突条との間隔は，上カバーに形成された第３の突条が嵌合する凹部の幅より広く，第４の突条は，下カバーが閉状態であるとき，第１の突条に近接するように形成されている。
このため，下カバーが閉状態であるときには，第１の突条と第２の突条とが上カバーの裏面に密着し，第３の突条と第４の突条とが重合部に密着するだけでなく，第４の突条と第２の突条との間に隙間が形成されるようになり，万一，第３の突条，第１の突条を越えて雨水が浸入したとしても，雨水が筐体内部へ侵入するのを防止することができる。
【００１３】
次に，請求項２に記載の電子機器収納用筐体においては，下カバーが閉状態にあるとき，下カバーと上カバーの表面が略同じ高さになるように，重合部を下カバーの表面より一段低く設けるように構成したので，外形寸法が小さく形成できると共に，デザイン性の優れた筐体を提供できる。
【発明を実施するための最良の形態】
【００１５】
以下に，本発明を具体化した実施形態の例を，図面を基に詳細に説明する。
図１は筐体の説明図である。図２は本体ケースと下カバーと上カバーの嵌合の順番を示す説明図である。図３は本体ケースの側面と下カバーの側面と上カバーのヒンジ部との詳細を示す説明図である。図４は本体ケースと下カバーと上カバーの枢着構造を示す説明図である。図５は本体ケースと下カバーと上カバーの枢着構造を示す説明図である。図６は図４におけるＡ−Ａ線断面図である。
【実施例１】
【００１６】
図１において，２０はアルミダイキャスト製で一体的に成形された本体ケースであり，合成樹脂で成形された上カバー３０と，同様に下カバー４０とでもって筐体１（電子機器収納用筐体）を構成している。
本体ケース２０には，回路基板２と，金属製のシールドケースに回路基板を配設し，その一側面に周知の接栓４，４，４を組み付けた回路ユニット５とが夫々任意の手段でもって固着されており，支柱や壁面への取り付け部となる裏板には，各上下の側板２１，左右の側板２２より夫々水平に突出した延設部２３を連続的に形成されている。
【００１７】
上カバー３０は，その裏面に壁面取付用で断面Ｌ字型の引掛片３１を有し，本体ケースの上方に被せて装着される箱状に形成されており，左右の側壁３２内面の端部下側等を任意の手段で持って上記本体ケース２０の延設部２３に固着するよう構成されている。
更に上カバー３０には，上カバー３０の上板３０ａの左右に連設された側壁３２，３２の内面側に形成された略Ｌ字型のヒンジ部５０が，上記上カバー側壁３２の長手方向に向けて，上カバー３０の下端部から下方へ突設するように設けてある。更に，このヒンジ部内面側の相互の間隔は，上記本体ケース２０の左右の側板２２外側間の間隔よりやや大きくなるように配設されている。
このヒンジ部５０は，上カバ−３０と一体的に形成されており，その材質が合成樹脂製であることから，左右方向には弾性を有するような肉厚でもって形成されている。更に各ヒンジ部５０の先端部には軸受部５１となる貫通孔が形成されていると共に，当該軸受部５１の中心点から任意の位置に第２ピン５２を外側方向に向けて突設させてある。
【００１８】
更に，上カバー３０内面側の下端部には，下端縁に第３の突条３３と下端部に第４の突条３４が夫々平行に突設させてあり，本願の実施例では，第３の突条３３の高さは，第４の突条３４の高さより高くなるように形成されている。
【００１９】
下カバー４０は，正面板４０ａの左右に連設された側壁４２，４２を有する断面コ字状に形成されている。また，両側壁４２の内面側の連設側であって上端縁近傍には，図に示す如く第１ピン４４と，当該第１ピンの中心点を中心とする円弧上に配設したストッパー４５ａ，４５ｂとが備えられている。第１ピン４４は，下カバー４０を上カバー３０に装着する際に，上カバ−３０に備えさせたヒンジ部５０の軸受部５１に内側から枢着されて，上記下カバー４０を開閉自在に動作可能とする。
【００２０】
また，上記下カバー４０を上カバー３０に装着するときには，上記ヒンジ部に突設させた第２ピンと，上記ストッパー４５ａ，４５ｂとが嵌合するように配設されている。即ち，ヒンジ部５０に設けられた軸受部５１に上記第１ピンは枢着される。この時，軸受部５１の中心と，下カバー４０に設けられた第１ピンの中心は同一となり，その中心から一定間隔はなれたところにヒンジ部５０には第２ピンを，下カバー４０にはストッパー４５ａ，４５ｂを配設し，下カバー４０の閉状態において，第２ピンはストッパー４５ａを乗り越えた位置になるように配設され，確実に閉じたことが感覚的にもわかるようになっている。また，下カバー４０の全開方状態では第２ピンはストッパー４５ｂを乗り越えた位置になるように配設され，その状態で下カバー４０をロックするようになっている。
【００２１】
更に，下カバー４０の上端部には，下カバー４０を閉じた状態で上カバー３０の裏面に重なる重合部４１が下カバーの表面より一段低くした延設され，その重合部４１には，下カバー４０の正面板４０ａの水平高さより上カバー３０の上板３０ａの厚み分低く設定し突条が設けられている。この突条は上記下カバーの上端と平行に，上端側から第１の突条４７，第２の突条４８の２本備えさせてある。これらの突条はそのまま同間隔で両側壁４２の周端部付近まで延設されている。更に，上端縁４０ｂと第１の突条４７との間であって重合部４１の正面側には，当該第１の突条と連設して一段低くなった凹部が形成されている。
また，両側壁４２の上端側の重合部裏面には，その上隅部に内側方向に一段高く張り出した当付部４０が形成されている。
正面板４０ａの内面側には，上縁端４０ｂと平行であって，当該上縁端４０ｂの近傍には補強片４６が突設させてあり，下カバー４０の補強をさせてある。これによって重合部の各突条の形状を安定的に一定とする。
【００２２】
上端縁４０ｂは，両側壁４２側へ折曲した時点で第１の突条４７との幅を閉塞して，そのまま第１の突条へ当接している。また，図３に示すように，両側壁４２の先端部は全長に亘って内面側の肉厚を均一幅で薄くした薄肉部４９を有し，下カバー４０の閉状態において，上記薄肉部４９が本体ケース２０の左右の延設部２３端部に合致するように構成されている。側壁４２と本体ケース２０の側面２２との間には，少なくともヒンジ部５０分の隙間を備えるものとなっている。
【００２３】
以上のように構成された筐体１は，本体ケース２０の上方から上カバー３０を被せ，任意の手段でもって延設部２３に固着する。次に，下カバー４０を上カバー３０に取付けるのであるが，図２に示すように，この時上カバー３０に備えられたヒンジ部５０を若干狭めるようにして側壁４２内側の左右の第１ピンを，上記ヒンジ部５０に設けられた軸受部５１，５１に枢着させると，下カバー４０は第１ピンを回転軸として開閉可能となり，その作動において，閉状態にあるときは，第２ピンはストッパー４５ａを乗り越えた位置になるように配設され，確実に閉じたことが感覚的にもわかるようになっている。また，全開方状態では第２ピンはストッパー４５ｂを乗り越えた位置になるように配設され，その状態で下カバー４０をロックするようになっている。更に図５に示すように全開状態になった時は，下カバー４０に設けた上記当付部４３が，ヒンジ部５０の当付面５３に当接され，全開時の動作を制限してヒンジ部５０や第１ピン４４等に無理な負荷が掛かるのを防止している。また，下カバーの開閉動作に伴い，重合部４１も回転して本体ケース２０の側板２２に干渉するが，側板２２にはその回転部分の切除部２８が設けられているから，下カバー４０の回転の妨げにはならない。
【００２４】
そして上記筐体１は，図４の右側を上にして，周知の方法で支柱や壁面に取付けられるのであるが，下カバー４０を閉じた状態では重合部は上カバー３０の裏面と重なる。下カバー４０の閉状態における，重合部４１に突設させた第１の突条４７，第２の突条４８と，上カバーの上板３０ａの裏面に突設させた第３の突条３３，際４の突条３４の詳細について詳しく説明する。
各突条の嵌合は，第１の突条４７と第２の突条４８の間には，上カバ−３０に突設させた第４の突条３４が配設され，第３の突条３３と第４の突条３４の間には，下カバー４０に突設させた第１の突条４７が配設され，各突条が相互に順序良く配設されている。この時，第１の突条４７と第２の突条４８は下カバー４０の正面板４０ａの水平高さより上カバー３０の上板３０ａの厚み分低く設定し設けられていると共に，下カバーの上端縁４０ｂと第１の突条４７との間であって重合部４１の正面側には，当該第１の突条４７と連設して一段低くなった凹部４０ｃが形成されている。
【００２５】
第３の突条３３は他の突条より高く形成されており，当該第３の突条３３の先端部は上記凹部に密着すると共に，第３の突条３３と第１の突条４７とも相互に密着するように形成されている。更に第１の突条４７と第２の突条４８は上カバー３０の裏面に密着させていると共に，第４の突条３４は重合部４１に密着するように形成されている。
更に加えて，第１の突条４７と第２の突条４８との間に配設された第４の突条３４は，上記第１の突条４７寄りに近接させて配設させて，第４の突条３４と第２の突条４８との間に隙間Ｈが出来るように構成されている。
この状態を図６に示す。下カバー４０の閉状態においては，重合部４１を下カバー４０より一段低く配設したことで，図６に示すように下ケース４０の正面板４０ａと上カバ−３０の上板３０ａは段差が出来ない。尚，図中の太線は上カバ−３０と下カバー４０との密着部分を示す。
【００２６】
この様な構成にすることによって，雨水は上下カバー間へ残ることは少なく，たとえ下カバー４０の上端縁４０ｂと上カバ−３０の第３の突条３３との間に雨水が侵入しても，第３の突条３３の先端部と凹部４０ｃとの密着，第３の突条３３と第１の突条４７との密着，更には第１の突条４７と上板３０ａの裏面との密着により，それ以上の侵入を強固に阻止するのである。万が一にも最初の第３の突条３３，第１の突条３３を越えて雨水が侵入しても，更に第４の突条３４と重合部４１とが密着していると共に，第４の突条３４と第２の突条４８との間に隙間を設けると共に，第２の突条４８が上板３０ａに密着しているので，筐体１の内部への侵入は完全に阻止できる二重防水構造を構成しているのである。
【００２７】
更に，第１の突条４７と第２の突条４８は下カバー４０の両側壁４２まで連続しているから，下カバー４０を開放させた際でも雨水は第１の突条４７と第２の突条４８をつたって両側壁の端部から落下させることができ，下カバーの開閉作動に伴う防水も期待できる。
また本体ケース２０と上カバ−４０との防水については，上カバー３０を函状に形成したことから防水性は高く，延設部２３と合わせて本体ケース２０への雨水の浸入を完璧に防止できる。
更に下カバー４０と本体ケース２０の防水についても，両側壁４２の薄肉部４９と，本体ケースの左右の延設部２３とを嵌合させる事によってシールされているから，雨水はそのシール部分より内部へ侵入することなく，延設部２３や薄肉部４９をつたってそのまま下方へ落下する。
【００２８】
よって本願の実施例によれば，本体ケースの開口部を覆うように，上下のカバーを備えた筐体において，特に高い防水機能が必要となる上下カバー間での防水は，下カバー４０と上カバー３０に突設させた２本の突条を相互に重なり合うことなく順序良く配設し，夫々の突条が重合部４１と上板３０ａの裏面に密着させた完全二重防水構造とし，本体ケースと上カバ−と下カバーとの間における防水機能も万全であることから，高信頼性の防水機能を有する筐体を提供できるのである。
【００２９】
更に，本願の実施例によれば，本体ケースの開口を覆うように，上下にカバーを備えた筐体において，特に本体ケース，上カバーや下カバーの金型を簡単な構成にすると共に，小型化することで金型費用を抑えて，延いては，製品単価のコストダウンを図るために，本体ケースには金型を外方向にスライドさせることのないように，金型が作成できるようにピン等の突設部を作らないようにし，その為に，上カバ−には軸受部を有するヒンジ部を形成する。下カバーの両側壁には上記軸受部に枢着させる枢着軸を形成するようにしたので，金型は内側に抜くように構成でき小型化できる，結果的に製品のコストダウンができるのである。
尚，本発明は上記実施の形態に限定されるものではなく，本発明の趣旨を逸脱しない範囲で各部の構成を適宜に変更して実施することも可能である。
【図面の簡単な説明】
【００３０】
【図１】図１は筐体の説明図である。
【図２】本体ケースと下カバーと上カバーの嵌合の順番を示す説明図である。
【図３】本体ケースの側面と下カバーの側面と上カバーのヒンジ部との詳細を示す説明図である。
【図４】本体ケースと下カバーと上カバーの枢着構造を示す説明図である。
【図５】本体ケースと下カバーと上カバーの枢着構造を示す説明図である。
【図６】図４におけるＡ−Ａ線断面図を示す。
【符号の説明】
【００３１】
１…筐体，２…回路基板，３…表示板，４…接栓，５…回路ユニット，２０…本体ケース，２１…側板，２２…側板，２３…延設部，２４…，２５…，２６…，２７…，２８…切除部，２９…，３０…上カバー，３０ａ…正面板，３１…引掛片，３２…側壁，３３…第３の突条，３４…第４の突条，４０…下カバー，４０ａ…正面板，４０ｂ…上端縁，４０ｃ…凹部，４１…重合部，４２…側壁，４３…当付部，４４…第１ピン，４５ａ，４５ｂ…ストッパー，４７…第１の突条，４８…第２の突条，４９…薄肉部，５０…ヒンジ部，５１…軸受部，５２…第２ピン，５３…当付面。
【図１】
0004319485.tif 000002
【図２】
0004319485.tif 000003
【図３】
0004319485.tif 000004
【図４】
0004319485.tif 000005
【図５】
0004319485.tif 000006
【図６】
0004319485.tif 000007